(57)【特許請求の範囲】
【請求項１】
内容物が収容された容器本体の口部に、上方付勢状態で下方移動自在に配設されるとともに、前方に向けて開口する吐出孔が形成された吐出ヘッドを有するポンプと、
前記ポンプを前記容器本体の口部に装着する装着キャップと、
前記装着キャップの後部に立設された支持部と、
前記支持部に回転軸回りに回転自在に配設され、前記吐出ヘッドを押下げる押下部材と、を備え、
前記押下部材を前記回転軸回りに下方に向けて回転させることにより、前記吐出ヘッドを下方移動させ、前記内容物を前記吐出孔から吐出させる吐出器であって、
前記吐出ヘッドは、上方付勢状態で下方移動自在に配設されたステムと、前記ステムの上端部に装着された装着筒部、および前記装着筒部から前方に向けて突出し、その前端部に前記吐出孔が形成されたノズル筒部を有するヘッド本体と、備え、
前記ノズル筒部に対して前記ノズル筒部の下方から当接若しくは近接し、前記吐出ヘッドの下方移動を規制する規制位置と、前記ノズル筒部から離れ、前記吐出ヘッドの下方移動を許容する規制解除位置と、の間で相互に移動可能なストッパーを有することを特徴とする吐出器。
【請求項２】
前記ストッパーは、前記規制位置に位置するときに、前記ノズル筒部の後端部に対して前記ノズル筒部の下方から当接若しくは近接することを特徴とする請求項１に記載の吐出器。
【請求項３】
前記装着筒部は有頂筒状に形成され、
前記装着筒部の頂壁部に、上方に向けて突出し、前記押下部材に押下げられる被押下部が形成され、
前記回転軸は、前記ステムより後方に配置されるとともに、上下方向および前後方向の双方向に直交する左右方向に延びることを特徴とする請求項１または２に記載の吐出器。
【発明の詳細な説明】
【技術分野】
【０００１】
本発明は、吐出器に関する。
【背景技術】
【０００２】
従来から、例えば下記特許文献１に示される吐出器が知られている。
この吐出器は、内容物が収容された容器本体の口部に、上方付勢状態で下方移動自在に配設されると共に前方に向けて開口する内容物の吐出孔が形成された吐出ヘッドを有するポンプと、ポンプを容器本体の口部に装着する装着キャップと、装着キャップの後部に立設された支持部と、支持部に回転軸回りに回転自在に配設され、吐出ヘッドを押下げる押下部材と、を備えている。
このように構成されているので、内容物を吐出する場合には、押下部材を回転軸回りに下方に向けて回転させることで、吐出ヘッドを下方移動させる。これにより、吐出孔を通じて内容物を外部に吐出することができる。
【先行技術文献】
【特許文献】
【０００３】
【特許文献１】特開２００８−３０７９８号公報
【発明の概要】
【発明が解決しようとする課題】
【０００４】
ところで、この種の吐出器では一般的に、不使用時に内容物が外部に吐出されないようにするため、ストッパーを備えている。従来のストッパーは、支持部と押下部材との間に挟まることで、押下部材が回転軸回りに下方に向けて回転しないようにしている。しかしながら、この構成では、押下部材ではなく吐出ノズル単体に力が加わると、ある程度吐出ノズルが押下がってしまい、内容物が吐出されてしまうおそれがあった。
【０００５】
本発明は、このような事情に鑑みてなされたものであって、その目的は、不使用時において内容物の吐出をより確実に防止することができる吐出器を提供することである。
【課題を解決するための手段】
【０００６】
本発明の吐出器の一つの態様は、内容物が収容された容器本体の口部に、上方付勢状態で下方移動自在に配設されるとともに、前方に向けて開口する吐出孔が形成された吐出ヘッドを有するポンプと、前記ポンプを前記容器本体の口部に装着する装着キャップと、前記装着キャップの後部に立設された支持部と、前記支持部に回転軸回りに回転自在に配設され、前記吐出ヘッドを押下げる押下部材と、を備え、前記押下部材を前記回転軸回りに下方に向けて回転させることにより、前記吐出ヘッドを下方移動させ、前記内容物を前記吐出孔から吐出させる吐出器であって、前記吐出ヘッドは、上方付勢状態で下方移動自在に配設されたステムと、前記ステムの上端部に装着された装着筒部、および前記装着筒部から前方に向けて突出し、その前端部に前記吐出孔が形成されたノズル筒部を有するヘッド本体と、備え、前記ノズル筒部に対して前記ノズル筒部の下方から当接若しくは近接し、前記吐出ヘッドの下方移動を規制する規制位置と、前記ノズル筒部から離れ、前記吐出ヘッドの下方移動を許容する規制解除位置と、の間で移動可能なストッパーを有することを特徴とする。
【０００７】
本発明の吐出器の一つの態様によれば、ストッパーを規制位置に移動させると、ストッパーがノズル筒部に当接若しくは近接する。これにより、吐出ヘッド単体に力が加わっても、ノズル筒部にストッパーが当接し、吐出ヘッドが直接支えられるため、内容物が吐出されることがなくなる。一方、ストッパーを規制解除位置に移動させると、ストッパーがノズル筒部から離れる。これにより、吐出ヘッドの下方移動が許容され、通常通りの使用が可能となる。
【０００８】
また、ストッパーが規制位置にある場合においては、ノズル筒部に下方向きの外力が加えられてもストッパーによってノズル筒部が直接支えられる。そのため、ヘッド本体がストッパーに対して浮き上がることを防止でき、ストッパーが規制位置から規制解除位置側にずれることがない。また、ステムとヘッド本体との間のシール性が低下することも抑制できる。
【０００９】
前記ストッパーは、前記規制位置に位置するときに、前記ノズル筒部の後端部に対して前記ノズル筒部の下方から当接若しくは近接する構成としてもよい。
【００１０】
この構成によれば、ストッパーがノズル筒部の後端部を支持するため、ノズル筒部に加えられた下方向きの外力によって、ノズル筒部がストッパーに強く押し付けられることとなり、ストッパーが規制位置から規制解除位置側にずれることを確実に防ぐことができる。
【００１１】
前記装着筒部は有頂筒状に形成され、前記装着筒部の頂壁部に、上方に向けて突出し、前記押下部材に押下げられる被押下部が形成され、前記回転軸は、前記ステムより後方に配置されるとともに、上下方向および前後方向の双方向に直交する左右方向に延びる構成としてもよい。
【００１２】
この構成によれば、装着筒部の被押下部には押下部材によって前方斜め下向きの力が加えられる。ストッパーは、規制位置において、装着筒部から前方に向けて突出するノズル筒部を支持する。そのため、ストッパーは、被押下部の前方斜め下側に位置する。これにより、押下部材によって被押下部に加えられる前方斜め下向きの力をストッパーによってほぼ真っ直ぐに受け止めることができる。したがって、押下部材に不意な外力が加えられた場合であっても、ステムに対してヘッド本体が傾くことを抑制できる。また、ノズル筒部がストッパーから浮き上がりストッパーが規制解除位置側にずれることを抑制できる。
【発明の効果】
【００１３】
本発明に係る吐出器によれば、不使用時において内容物の吐出をより確実に防止することができる。
【図面の簡単な説明】
【００１４】
【図１】吐出器を示す軸方向断面図である。
【図２】図１に示す吐出器を前方から見た正面部分断面図である。
【図３】吐出器を示す図であって、図１に示す状態から押下部材を下方に回転させて吐出ヘッドを押し下げた状態を示す軸方向断面図である。
【図４】吐出器に設けられたストッパーを示す斜視図である。
【図５】図１に示す吐出器を左右方向から見た図である。図５（ａ）は、ストッパーが規制位置にある状態を示す図である。図５（ｂ）は、ストッパーが規制解除位置にある状態を示す図である。図５（ｃ）は、ストッパーが規制解除位置にあり、押下部材が押し下げられた状態を示す図である。
【発明を実施するための形態】
【００１５】
以下、本発明に係る吐出器の実施形態について図面を参照して説明する。なお、以下の説明に用いる各図面では、各部材を認識可能な大きさとするために縮尺を適宜変更している。
【００１６】
図１に示すように、吐出器１は、図示しない内容物が収容された容器本体２の口部３に取り付けられる有頂円筒状の装着キャップ１１と、容器本体２の口部３に上方付勢状態で下方移動自在に配設されると共に、前方に向けて開口する内容物の吐出孔１３Ａが形成された吐出ヘッド１３を有するポンプ１４と、装着キャップ１１の後部に立設された支持部１５と、支持部１５に回転軸Ｌ回りに回転自在に配設され、吐出ヘッド１３を押下げる押下部材１６と、を備えている。
【００１７】
この吐出器１では、押下部材１６を回転軸Ｌ回りに後述する下方に向けて回転させることにより、吐出ヘッド１３が下方移動し、内容物が吐出孔１３Ａから吐出される。なお、吐出ヘッド１３は、円筒状のステム１２と、ステム１２の上端部に装着され、上記吐出孔１３Ａが形成されたヘッド本体３０と、を備えている。
【００１８】
装着キャップ１１およびステム１２は、それぞれの中心軸線が共通軸上に位置する状態で配設されている。以下、この共通軸を中心軸Ｏと称し、図１において中心軸Ｏに沿ってポンプ１４からステム１２に向かう方向を上方、その逆方向を下方とする。また、中心軸Ｏから見た平面視で中心軸Ｏに直交する方向を径方向、中心軸Ｏ回りで周回する方向を周方向とする。
さらに、径方向のうち吐出ヘッド１３の吐出孔１３Ａが向いた方向を前方、その逆方向を後方とし、上下方向および前後方向に直交する方向を左右方向とする。
【００１９】
装着キャップ１１は、ポンプ１４を容器本体２の口部３に装着するためのキャップである。装着キャップ１１は、中央に開口部が形成された平面視円形状の天壁部２１と、天壁部２１の外周縁から下方に向けて延設された円筒状の周壁部２２と、を有する。これら天壁部２１および周壁部２２は、中心軸Ｏと同軸に配設されている。
周壁部２２の内周面には、容器本体２の口部３の外周面に形成された雄ネジに螺着する雌ネジが形成されている。なお、装着キャップ１１は、容器本体２の口部３に対して螺着される場合に限定されるものではなく、例えばアンダーカット嵌合により装着されていても構わない。
【００２０】
ポンプ１４は、吐出ヘッド１３と、吐出ヘッド１３のステム１２に連係された二重円筒状のピストン４１と、ピストン４１が上下摺動自在に収容された円筒状のシリンダ４２と、ステム１２から下方に向けて延設され、ピストン４１の内側を上下方向に貫く有底円筒状のピストンガイド４３と、シリンダ４２内に配設された球状の弁体４４と、ステム１２を外側から囲む円筒状のガイド筒４５と、を有する。
【００２１】
ステム１２は、ガイド筒４５の内側に上下移動自在に挿通されている。この際、ステム１２の上端部は、ガイド筒４５よりも上方に向けて突出している。ステム１２の下部の内径および外径は、ステム１２の上部の内径および外径よりも大きい。また、ステム１２の上部と下部との間には、拡径部１２Ａが設けられており、段差が形成されている。
【００２２】
ステム１２の下端部には、拡径部１２Ａの下方に連なる比較的薄肉の円筒状の弾性部２５が形成されている。
弾性部２５には、上下方向に延在すると共に下方に開口するスリット状の切欠部２５Ａが周方向に間隔をあけて複数形成されている。なお、弾性部２５の下端開口縁は、径方向外側から内側に向かうにしたがって下方に向かうように傾斜している。
【００２３】
ヘッド本体３０は、ステム１２の上端部に装着された有頂円筒状の装着筒部３１と、装着筒部３１から前方に向けて突設された筒状のノズル筒部３２と、を有する。
装着筒部３１は、ステム１２内に嵌合されている。装着筒部３１の頂壁部に、上方に向けて被押下部１００が突設されている。被押下部１００は、装着筒部３１の頂壁部における左右方向の中央部に配設されている。被押下部１００は、表裏面が左右方向を向く板状に形成され、上端部は、左右方向から視て上方に突の曲線状に形成されている。被押下部１００は、押下部材１６に押下げられる部分である。
【００２４】
ノズル筒部３２内には、前後方向に延在する芯棒体３５と、芯棒体３５の前端部に被着された有頂円筒状のチップ３６と、が配設されている。
芯棒体３５の外周面には、ノズル筒部３２の内周面との間で内容物の流動を可能とする複数の流路溝部３５Ａが前後方向に亘って形成されている。
【００２５】
チップ３６は、芯棒体３５と同軸上に配設されており、内側に芯棒体３５が嵌合された円筒状のチップ筒部３７と、チップ筒部３７の前端部に設けられた端壁部３８と、を有する。
チップ筒部３７は、ノズル筒部３２内に嵌合されている。端壁部３８は、芯棒体３５の前端面に当接している。端壁部３８のうち芯棒体３５の前端面に当接する後面には、芯棒体３５の流路溝部３５Ａに連通するスピン流路３８Ａが形成されている。端壁部３８の中央部分には、スピン流路３８Ａに連通する吐出孔１３Ａが形成されている。
チップ３６により、内容物を霧状に吐出することができる。また、チップ３６およびノズル先端形状等を変更することで、泡状および直線状等の吐出が可能となる。例えば、本実施形態のノズル先端にメッシュ等の発泡部材を設けることで、泡状吐出が可能となる。
【００２６】
ノズル筒部３２は、被係止部１２０を有する。被係止部１２０は、ノズル筒部３２の後端部から、下方に向けて突出する。被係止部１２０は、上下方向において、ガイド筒４５の上端開口縁４５ｅの一部と隙間をあけて対向している。
【００２７】
被係止部１２０には、後述するストッパー１３０の規制位置から規制解除位置への移動を抑止するための係合突起１２２が形成されている。係合突起１２２は、被係止部１２０の前端部から下方に突出する。係合突起１２２の前部には、前方に向かうに従って上方に傾斜する傾斜面１２２ａが形成されている。
【００２８】
ピストン４１は、円筒状の摺動部５１と、摺動部５１よりも径方向内側に配設された円筒状の閉塞部５２と、摺動部５１の上端および閉塞部５２の上下方向中間部を連結する平面視円環状の環状連結部５３と、を有する。これら摺動部５１、閉塞部５２および環状連結部５３は、中心軸Ｏと同軸に配設されている。
【００２９】
摺動部５１の下端部は、上方から下方に向かうにしたがって漸次径方向外側に向けて反るように湾曲している。これにより、摺動部５１の下端は、シリンダ４２の内周面に摺接している。
閉塞部５２の下端部は、上方から下方に向かうにしたがって漸次径方向内側に向けて反るように湾曲している。これにより、ピストンガイド４３の後述する底壁４３Ａ近傍に形成された当接部４３Ｅに当接している。閉塞部５２の上端部は、下方から上方に向かうにしたがって漸次径方向外側に向けて反るように湾曲しており、ステム１２の下端部の内周面に摺接している。
環状連結部５３の上面は、径方向外側から内側に向かうにしたがって漸次下方に向かうように傾斜し、弾性部２５の下端開口縁を受ける受け面５３Ａとされている。
【００３０】
シリンダ４２は、フランジ状の支持板部６１と、支持板部６１から上方に向けて延設された円筒状の立上筒部６２と、支持板部６１の開口縁部から下方に向けて延設された円筒状の上筒部６３と、上筒部６３の下端から下方に向けて延設された円筒状の中筒部６４と、中筒部６４の下端から下方に向けてさらに延設された円筒状の下筒部６５と、を有する。これら支持板部６１、立上筒部６２、中筒部６４および下筒部６５は、中心軸Ｏと同軸に配設されている。
【００３１】
支持板部６１は、シリンダ４２の周壁部から径方向の外側に向けて突出し、口部３の上端開口縁上に配置されている。ガイド筒４５には、径方向の外側に向けて突出し、支持板部６１上に配置されるフランジ状の挟着板部４５ｃが形成されている。装着キャップ１１には、径方向の内側に向けて突出し、挟着板部４５ｃを支持板部６１との間で挟み込むフランジ状の押え板部１１Ａが形成されている。挟着板部４５ｃの外径は、支持板部６１の外径より小さい。また、押え板部１１Ａは、径方向の外側から内側に向かうに従い、漸次下方に向けて延びている。支持板部６１と口部３の上端開口縁との間には、環状の第１パッキン６６が介在されている。
【００３２】
立上筒部６２は、天壁部２１の開口部を通って上方に向けて立設されている。立上筒部６２には、径方向の外側に突設され、ガイド筒４５に形成された係合孔４５ｄに係合する係合突起６２Ａが設けられている。係合孔４５ｄおよび係合突起６２Ａは、周方向において複数設けられている。
上筒部６３の上端部には、上筒部６３の内外を連通させる空気孔６３Ａが形成されている。この空気孔６３Ａは、環状連結部５３の外周面によってシリンダ４２の内側から閉塞可能とされている。
【００３３】
中筒部６４は、上筒部６３の下端開口縁から下方に向けて延びる直筒部６７と、直筒部６７の下端から下方に向けて延在し、内径および外径が上方から下方に向かうにしたがって縮径するテーパ筒部６８と、を有する。
直筒部６７の内周面には、上下方向に延在し、径方向内側に向けて突出する複数の縦リブ部６７Ａが周方向に間隔をあけて配設されている。
【００３４】
テーパ筒部６８の内側には、弁体４４がテーパ筒部６８のテーパ面に離着自在に配設されている。
なお、弁体４４は、球状に形成された合成樹脂製のいわゆるボール弁とされている。弁体４４は、廃棄時における分別の手間を抑制する観点で合成樹脂製とすることが好ましい。また、弁体４４は、金属製等であってもよい。さらに、ボール弁に替わる種々の弁体を用いた逆止弁でもよい。
【００３５】
テーパ筒部６８の内周面には、径方向外側から内側に向かうにしたがって上方に向けて傾斜する規制突部６８Ａが突設されている。規制突部６８Ａの上端の内径は、弁体４４よりも小さくなっている。これにより、規制突部６８Ａは、弁体４４の上方への抜けを規制している。なお、規制突部６８Ａには、周方向の延在を中断する間隙が形成されている。
下筒部６５内には、パイプ２１３が嵌合されている。パイプ２１３は、パイプ２１３の下端開口部は、容器本体２内の底部に向けて開口している。
【００３６】
ピストンガイド４３のうち、ピストン４１の閉塞部５２よりも下方に位置する底壁４３Ａは、この底壁４３Ａよりも上方に位置する周筒部に対して径方向外側に向けて突出する円板状に形成されている。
ピストンガイド４３における上記周筒部の下端部には、外径が底壁４３Ａの上面から上方に向かうにしたがって漸次縮径する当接部４３Ｅが形成されている。
【００３７】
ピストンガイド４３の上記周筒部には、ピストンガイド４３内とシリンダ４２内とを連通させる連通孔４３Ｂが形成されている。連通孔４３Ｂは、例えば中心軸Ｏを径方向で挟む両側に形成されている。連通孔４３Ｂは、当接部４３Ｅおよび閉塞部５２の下端よりも上方に位置しており、シリンダ４２の上筒部６３の内側との連通が遮断されている。
【００３８】
ピストンガイド４３の上記周筒部には、ピストンガイド４３内とシリンダ４２内とを連通させる貫通孔４３Ｃが形成されている。貫通孔４３Ｃは、連通孔４３Ｂと同様に、例えば中心軸Ｏを径方向で挟む両側に形成されている。貫通孔４３Ｃは、ステム１２の拡径部１２Ａにおける内周面に向けて開口している。貫通孔４３Ｃは、連通孔４３Ｂよりも上方に位置している。
ピストンガイド４３のうち貫通孔４３Ｃよりも上側に位置する部分は、ステム１２内に嵌合している。これにより、ピストンガイド４３は、ステム１２と共に一体に上下移動する。
【００３９】
ガイド筒４５は、中心軸Ｏと同軸に配置されている。ガイド筒４５は、上部を構成するガイド筒部４５ａと、下部を構成する嵌合筒部４５ｂと、を有する。
ガイド筒部４５ａ内には、ステム１２が下方移動自在に挿通されている。ガイド筒部４５ａは、円筒状に形成され、嵌合筒部４５ｂは、ガイド筒部４５ａよりも径方向外側に配設された円筒状に形成されている。ガイド筒部４５ａおよび嵌合筒部４５ｂは、中心軸Ｏと同軸に配設されている。
【００４０】
嵌合筒部４５ｂは、立上筒部６２に外嵌されている。嵌合筒部４５ｂ内には、ガイド筒部４５ａの下端から下方に環状に突出する突出部４５ｂ１が形成されている。突出部４５ｂ１の内周面は、ガイド筒部４５ａの内周面と一致し、突出部４５ｂ１の外周面は、ガイド筒部４５ａの外周面よりも大きい。嵌合筒部４５ｂとシリンダ４２との間には、環状の第２パッキン７６が介在している。
【００４１】
第２パッキン７６は、ガイド筒４５に形成された嵌合筒部４５ｂ内に嵌合されるとともに、下端開口縁がシリンダ４２の上端開口縁である立上筒部６２に当接する厚肉筒部７６Ａと、厚肉筒部７６Ａから径方向の内側に向けて突出し、ステム１２とガイド筒４５との間に形成された外気導入路Ｒとシリンダ４２内の上部空間との連通を遮断可能な薄肉弁体７６Ｂと、を備える。薄肉弁体７６Ｂは、厚肉筒部７６Ａの上下方向の中央に設けられている。
【００４２】
薄肉弁体７６Ｂの上面における内周縁部には、図示しない凹凸状の間隙形成部が形成されている。そして、ステム１２は、薄肉弁体７６Ｂ内に上下摺動自在に嵌合されている。この構成によれば、ステム１２が上昇端位置より下方に位置しているときに、薄肉弁体７６Ｂが下方にめくれるように弾性変形することで、間隙形成部によりステム１２との間に形成される間隙を通して、外気導入路Ｒとシリンダ４２内の上部空間とが連通する。
【００４３】
厚肉筒部７６Ａの内周面における薄肉弁体７６Ｂとの接続部分には、径方向の外側に向けて窪む環状溝７６Ｃが全周に亘って形成されている。環状溝７６Ｃは、薄肉弁体７６Ｂにおける径方向の長さ、および厚肉筒部７６Ａの開口端部における径方向の長さの双方を確保するために形成されている。
【００４４】
押下部材１６を支持する支持部１５は、ガイド筒４５における嵌合筒部４５ｂから後方に向けて突設されており、左右方向に間隔をあけて配設された一対の側壁部７７と、側壁部７７の後端縁同士を左右方向に接続する後壁部７８と、を有する。
【００４５】
側壁部７７は、前側から後側に向かうに従い漸次、上側に向けて延びている。側壁部７７の上端には、上方に向けて左右方向から見た正面視で半円状に突出した突出片８０がそれぞれ形成されている。これら突出片８０の外側面には、円柱状の軸体７７Ａが左右方向に沿って外向きに突設されている。軸体７７Ａは、ステム１２より後方に配置されている。
【００４６】
なお、軸体７７Ａの中心を通り、且つ左右方向に延びる仮想の軸線が押下部材１６の回転軸Ｌとなる。これにより、回転軸Ｌは、ステム１２より後方に配置されるとともに、上下方向および前後方向の双方と直交する左右方向に延びている。また、後壁部７８の内面には、突出片８０の内側に位置するように上方に向かって突出し、一対の側壁部７７の内面同士および突出片８０同士を左右方向に連結する補強壁７８ａが形成されている。
側壁部７７の外周縁のうち、前方を向く前端縁の下端部には、下方に向けて窪む支持凹部８１が形成されている。この支持凹部８１を利用して、後述する延在体９５が装着されている。
【００４７】
このように、支持部１５はガイド筒４５における嵌合筒部４５ｂの後部から上方且つ後方に向けて突設されているので、装着キャップ１１の後部に立設された状態で配置されている。なお、図示の例では、支持部１５をガイド筒４５における嵌合筒部４５ｂの後部から立設させたが、この場合に限定されるものではなく、例えば装着キャップ１１の後部から上方且つ後方に向けて突設させても構わない。
【００４８】
押下部材（トリガー）１６は、軸体７７Ａを介して支持部１５に取り付けられている。これにより、押下部材１６は、支持部１５に対し回転軸Ｌ回りに回転可能（揺動可能）に連結されている。
押下部材１６は、吐出ヘッド１３を上方から覆う天板部９０と、天板部９０の前端縁から前方に向けて斜め下方に延在する前板部９１と、天板部９０の左右両側の側端縁から下方に向けて延在し、左右方向に向かい合う一対の側板部９２と、を有する。
そして、天板部９０と一対の側板部９２とで囲まれる内部空間に吐出ヘッド１３が配置されている。よって、一対の側板部９２は、吐出ヘッド１３を左右方向から挟むように配置されている。
【００４９】
天板部９０は、上方に向けて膨らむように滑らかに湾曲した形状とされ、その後端部は支持部１５における後壁部７８の上端開口縁に上方から接触している。これにより、押下部材１６は、回転軸Ｌを中心としたこれ以上の上方への回転が規制された状態で位置決めされている。
【００５０】
天板部９０の前側部分には、該天板部９０を貫通する第１貫通孔９３が形成されている。この第１貫通孔９３は、天板部９０における左右方向の中央部分に形成されていると共に、前方に開口するように形成されている。
これにより、天板部９０の前側部分は、左右方向に二股に分かれた形状とされている。
【００５１】
前板部９１は、二股に分かれた天板部９０の前端縁から前方に向けて斜め下方に延在している。この際、前板部９１の上側部分には、前板部９１を貫通すると共に上下方向に延在する第２貫通孔９４が形成されている。この第２貫通孔９４は、前板部９１の中央部分に形成されていると共に上方に開口しており、第１貫通孔９３に対して一体に繋がっている。
そして、第２貫通孔９４内にヘッド本体３０のノズル筒部３２が挿通されている。これにより、ノズル筒部３２は、第２貫通孔９４を通して前板部９１から突出している。なお、前板部９１の下側部分は、指先を掛けるための指掛部分とされている。
【００５２】
一対の側板部９２は、吐出ヘッド１３および支持部１５を左右方向に挟んでいる。一対の側板部９２の後部側の内面には、軸体７７Ａが挿通される軸孔部９２Ａが形成されている。これにより、押下部材１６は、軸体７７Ａ回り、すなわち回転軸Ｌ回りに回転可能に支持されている。
【００５３】
上述した押下部材１６は、付勢部材である延在体９５からの弾性力（ばね力）によって上方付勢されている。
延在体９５は合成樹脂製とされ、図示の例では長尺で且つ湾曲した弾性変形可能な柱状に形成されている。延在体９５は、押下部材１６の天板部９０の下方に配置されており、一端部９５ａが支持部１５に連結され、且つ他端部９５ｂが押下部材１６の内側に配設されている。
【００５４】
延在体９５は、一端部９５ａが他端部９５ｂに対して後方且つ下方に位置するように、長手方向の中間部分９５ｃが後方に向けて突となるように湾曲しており、押下部材１６における天板部９０の下方に配置されている。この際、延在体９５は、天板部９０における二股部分の下方に配置されるように、左右方向に間隔をあけて一対設けられている。
図示の例では、これら一対の延在体９５の一端部９５ａ同士は、左右方向に沿って延びる円柱状の連結体９６によって互いに連結されている。これにより、一対の延在体９５および連結体９６は１つのユニットとされている。
【００５５】
そして、支持部１５に形成された支持凹部８１内に、上記連結体９６が回転自在に支持されている。これにより、延在体９５の一端部９５ａは連結体９６を介して支持部１５に連結されている。延在体９５の他端部９５ｂは、天板部９０における二股部分の下面に対して下方から当接している。これにより、延在体９５の他端部９５ｂは、押下部材１６の内側に配設されている。
【００５６】
なお、延在体９５の一端部９５ａと支持部１５との連結、および延在体９５の他端部９５ｂと押下部材１６との連結は、上述の場合に限定されるものではなく、他の構成（方法）を採用しても良い。
例えば、延在体９５の一端部９５ａと支持部１５とが一体に形成されていても良いし、延在体９５の他端部９５ｂと押下部材１６とが一体に形成されていても良い。また、延在体９５の一端部９５ａを支持部１５に接着しても良いし、支持部１５に形成した孔に嵌合する等しても良い。さらに、延在体９５の他端部９５ｂを押下部材１６に接着しても良いし、押下部材１６に形成した孔に嵌合する等しても良い。
【００５７】
延在体９５の他端部９５ｂは、予め他端部９５ｂ側が下方に移動するように弾性変形した状態で、他端部９５ｂが天板部９０における二股部分の下面に対して下方から接触している。このため、通常時の場合であっても、延在体９５は弾性力（ばね力）を利用して押下部材１６を上方付勢している。
【００５８】
押下部材１６には、図２に示すように、吐出ヘッド１３に形成された被押下部１００の上端部を収容する窪み１０１が形成されている。
窪み１０１は、押下部材１６の天板部９０における左右方向の中央部に配設されている。窪み１０１は、被押下部１００の左右方向の厚みよりも僅かに大きい幅で形成されている。
【００５９】
窪み１０１は、図１に示すように、天板部９０に対して前後方向に一定の深さで形成されている。窪み１０１は、被押下部１００の上端部を前後方向に移動可能に収容する。窪み１０１は、天板部９０の下面に対して上方に窪んだ上面が、被押下部１００の上端部の上面に上方から面接触している。
【００６０】
これにより、押下部材１６を回転軸Ｌ回りに下方に回転させた際、窪み１０１を利用して被押下部１００を上方から押下させることが可能とされている。したがって、吐出ヘッド１３を下方移動させることができる。
なお、押下部材１６の下方への回転を解除した場合には、先に述べたように延在体９５が押下部材１６を上方付勢しているので、押下部材１６は回転軸Ｌ回りに上方に逆回転して、元の位置に復帰する。
【００６１】
ところで、押下部材１６には、該押下部材１６の下方への回転を解除した際、吐出ヘッド１３に形成された軸部１００Ａに係合し、吐出ヘッド１３を上方に復元移動させる係合溝１０２が形成されている。軸部１００Ａは、図２に示すように円柱状に形成され、装着筒部３１の上端部の左右の側面から一対の側板部９２に向けてそれぞれ突設されている。
【００６２】
係合溝１０２は、押下部材１６における一対の側板部９２の内面に吐出ヘッド１３に対して離間する方向に窪んでいる。係合溝１０２の下端外周面には、図２に示すように、下方に向かうに従って吐出ヘッド１３から離間する方向に傾斜する傾斜面１０２Ａが形成されている。一方、軸部１００Ａの上端には、上方に向かうに従って一対の側板部９２から離間する方向に傾斜する傾斜面１００Ａ１を有する。これにより、係合溝１０２に対し下方から軸部１００Ａを組み付け易くなる。
【００６３】
係合溝１０２は、軸部１００Ａよりも僅かに大きく、押下部材１６の上方への回転に伴って軸部１００Ａに対して下方から接触して、軸部１００Ａを上方に押上げる。これにより、吐出ヘッド１３を上方移動させることが可能となる。
【００６４】
ストッパー１３０は、押下部材１６の回転軸Ｌに平行な軸体１３１回りに回転可能に設けられた部材であり、吐出ヘッド１３の下方移動を規制するものである。ストッパー１３０は、吐出ヘッド１３の下方移動を規制する規制位置（図１に示す位置）と、規制位置に対して軸体１３１回りに前方に回転移動し、吐出ヘッド１３の下方移動を許容する規制解除位置（図３に示す位置）と、に切り替え可能になっている。
【００６５】
ストッパー１３０は、図１に示す規制位置に位置するとき、被係止部１２０の下面に当接若しくは近接する。すなわち、ストッパー１３０は、規制位置に位置するとき、ノズル筒部３２に対してノズル筒部３２の下方から当接若しくは近接する。また、ストッパー１３０は、図３に示す規制解除位置に位置するとき、被係止部１２０の下面、すなわちノズル筒部３２から離れ、吐出ヘッド１３の下方移動を許容する。なお、以下に説明するストッパー１３０の各部の位置関係は、ストッパー１３０が規制位置に位置する場合の位置関係とする。
【００６６】
ストッパー１３０は、図４に示すように、左右方向に間隔を空けて配置される一対のストッパー側壁部１３２と、左右方向に延び、一対のストッパー側壁部１３２同士の間においてストッパー側壁部１３２同士を連結する軸体１３１と、一対のストッパー側壁部１３２の上端同士を連結する連結台部１３３と、連結台部１３３から上方に向けて突出する突当り部１３５と、ストッパー側壁部１３２から左右方向の外側に向けて突出する摘み部１３４と、を備えている。
【００６７】
一対のストッパー側壁部１３２は、それぞれ上下方向に延びている。ストッパー側壁部１３２の前面における下端部には、前方に向かうに従って下方に位置する傾斜面が形成されている。
【００６８】
軸体１３１は、左右方向に延在する丸棒状に形成されている。軸体１３１は、図１に示すように、支持部１５における一対の側壁部７７に形成された第２支持凹部８２に中心軸回りに回転可能に嵌め込まれている。第２支持凹部８２は、ステム１２よりも前方であって、支持凹部８１よりも前方に配置されている。ストッパー１３０は、ステム１２よりも前方において、軸体１３１回りに回転可能に支持部１５に取り付けられている。
【００６９】
連結台部１３３は、図４に示すように、左右方向に延びる角柱状体である。連結台部１３３は、一方のストッパー側壁部１３２から他方のストッパー側壁部１３２まで延びている。連結台部１３３の上面は、前方に位置する台部傾斜面１３３ａと、台部傾斜面１３３ａの後端に接続される台部平坦面１３３ｂと、を含む。
【００７０】
台部傾斜面１３３ａは、前方に臨む傾斜面であり、連結台部１３３の前端から後方に向かうに従って上方に向けて延びている。台部平坦面１３３ｂは、台部傾斜面１３３ａの後端から後方に向けて延びている。台部平坦面１３３ｂは、連結台部１３３の上面の後端に位置する。
【００７１】
突当り部１３５は、略直方体状である。突当り部１３５は、台部平坦面１３３ｂから上方に延びている。突当り部１３５は、連結台部１３３の左右方向の中央に位置する。突当り部１３５の左右方向の寸法は、連結台部１３３の左右方向の寸法よりも小さい。突当り部１３５の前後方向の寸法は、連結台部１３３の台部平坦面１３３ｂの前後方向の寸法と略同じである。突当り部１３５の上面の後端には、後方に向かうに従って下方に向けて延びる傾斜面が形成されている。
【００７２】
突当り部１３５の上端は、図１に示すように、ストッパー１３０が規制位置に位置するとき、被係止部１２０の下面と当接若しくは近接する。突当り部１３５の上端は、ストッパー１３０が規制位置に位置するとき、係合突起１２２に後側から係合している。
【００７３】
突当り部１３５および連結台部１３３は、ストッパー１３０が規制位置に位置するとき、上下方向において、被係止部１２０の下面とガイド筒４５の上端開口縁４５ｅとの間に挟み込まれる。
【００７４】
摘み部１３４は、図４に示すように、ストッパー側壁部１３２から左右方向の外側に向かうに従って前方に向けて延びる内側部分１３４ａと、内側部分１３４ａの前端から後方に向かうに従って上方に向けて延びる外側部分１３４ｂと、を備えている。内側部分１３４ａおよび外側部分１３４ｂは、角柱状である。摘み部１３４は、全体として屈曲した棒状である。
【００７５】
内側部分１３４ａは、ストッパー側壁部１３２の下端部に接続されている。内側部分１３４ａの前端は、ストッパー側壁部１３２よりも前方に位置する。外側部分１３４ｂの後端は、ストッパー側壁部１３２よりも後方に位置する。外側部分１３４ｂは、図２に示すように、押下部材１６よりも左右方向外側に位置する。
【００７６】
次に、上述のように構成された吐出器１の使用方法について説明する。
まず、ストッパー１３０を図１および図５（ａ）に示す上記した規制位置から前方に傾倒させて、図５（ｂ）に示す規制解除位置に移動させる。詳しく説明すると、突当り部１３５が係合突起１２２を乗り越えて被係止部１２０よりも前方に位置するまで、ストッパー１３０を前方側に向けて軸体１３１回りに回転させる。これにより、ストッパー１３０による吐出ヘッド１３の下方移動の規制が解除され、押下部材１６の下方への揺動が許容される。
【００７７】
その後、図３および図５（ｃ）に示すように、押下部材１６を回転軸Ｌ回りに下方に向けて回転させる。この際、例えば押下部材１６の前板部９１の指掛部分に指先を掛けながら、延在体９５の付勢力に抗して押下部材１６を下方に向けて回転させる。押下部材１６を下方に向けて回転させると、吐出ヘッド１３が下方移動し、弁体４４によってシリンダ４２のテーパ筒部６８内を閉塞した状態で、ステム１２およびピストン４１をシリンダ４２に対して押し込んで、シリンダ４２内が正圧になる。すると、シリンダ４２内の内容液がステム１２内を上昇してノズル筒部３２内に導入され、吐出ヘッド１３の吐出孔１３Ａから吐出される。
【００７８】
詳しくは、シリンダ４２内が正圧になると、弾性部２５の自由端部がピストン４１の受け面５３Ａに沿って径方向内側に向けて反るように摺動しつつ、弾性部２５の上下方向の長さが短くなるように収縮変形する。また、吐出ヘッド１３およびピストンガイド４３は、ピストン４１に対して下方移動し始める。吐出ヘッド１３およびピストンガイド４３がピストン４１に対して下方に移動すると、ピストン４１の閉塞部５２の下端が、ピストンガイド４３の当接部４３Ｅから離間する。これにより、閉塞部５２の下端部とピストンガイド４３の外周面との間には、間隙が形成される。そのため、連通孔４３Ｂは、間隙を通してシリンダ４２の上筒部６３内に対して開放される。なお、連通孔４３Ｂがシリンダ４２の上筒部６３内に対して開放されるまで、上筒部６３の内圧はさらに上昇する。
【００７９】
これにより、上筒部６３内の内容物は、閉塞部５２の内周面とピストンガイド４３の外周面との間の間隙および連通孔４３Ｂを通ってピストンガイド４３内に流入する。さらに、上筒部６３内の内容物は、閉塞部５２の内周面とピストンガイド４３の外周面との間の間隙、ステム１２の下側部分および拡径部１２Ａの内周面とピストンガイド４３の外周面との間の間隙、並びに貫通孔４３Ｃを通ってピストンガイド４３内に流入する。
そして、ピストンガイド４３内に流入した内容物は、ステム１２の上側部分内を流動してノズル筒部３２に至り、ノズル筒部３２の吐出孔１３Ａから吐出される。この結果、容器本体２内に収容された内容物を、吐出孔１３Ａを通じて外部に吐出することができる。
【００８０】
その後、押下部材１６の把持を解除すると、ステム１２およびピストン４１が、延在体９５からの付勢力に基づいてシリンダ４２に対して復元移動する。このとき、シリンダ４２内が負圧になり、この負圧が、弁体４４に作用してテーパ筒部６８内を開放する。これにより、容器本体２内の内容液が、パイプ２１３を介してシリンダ４２内に流入する。
【００８１】
吐出ヘッド１３、ステム１２およびピストン４１をシリンダ４２に対して一体的に押下させると、シリンダ４２内のうちピストン４１より下方に位置する下部空間が加圧され、この下部空間内の内容物がステム１２内を上昇して吐出孔１３Ａから吐出される。この過程において、第２パッキン７６の薄肉弁体７６Ｂが外気導入路Ｒの下端開口を開放し、外気導入路Ｒとシリンダ４２内の上部空間とが連通し、外気がシリンダ４２内の上部空間内に導入される。
【００８２】
吐出ヘッド１３、ステム１２およびピストン４１の押下げを解除して、これらを上方に復元変位させると、シリンダ４２内の下部空間が負圧になり、容器本体２内の内容物がシリンダ４２内の下部空間内に導入される。この過程において、上部空間内の空気が圧縮される。上部空間内の空気は、空気孔６３Ａを介してシリンダ４２内の上部空間と容器本体２内とが連通することで、容器本体２内に導入される。
【００８３】
その後、ステム１２およびピストン４１が元に戻ると、ピストン４１が空気孔６３Ａを閉塞し、外気導入路Ｒを通した容器本体２内と外部との連通が遮断される。
なお、吐出器１が倒立等しても、外気導入路Ｒとシリンダ４２内の上部空間との連通を遮断する第２パッキン７６が配設されているので、容器本体２内の内容部がシリンダ４２内の上部空間に到達しても、この内容物が外気導入路Ｒを通して外部に漏出することを防ぐことができる。
【００８４】
次に、不使用時に吐出器１から内容物が外部に吐出されないようにするためには、図１に示すように、ストッパー１３０を規制位置に移動させておく。詳しくは、延在体９５によって押下部材１６を介して吐出ヘッド１３が上方へ付勢され、押下部材１６が支持部１５に当接して回転が規制され、ポンプ１４が停止状態になる。この状態で、ストッパー１３０が規制位置に移動すると、突当り部１３５が被係止部１２０の下面に当接もしくは近接する。
【００８５】
本実施形態では、被係止部１２０の係合突起１２２に傾斜面１２２ａが形成されており、また、ストッパー１３０の突当り部１３５の上面における後端に傾斜面が形成されているため、ストッパー１３０（突当り部１３５）が係合突起１２２を乗り越えて規制位置に移動し易い。
【００８６】
ストッパー１３０が規制位置にあるとき、突当り部１３５および連結台部１３３は、上下方向において、被係止部１２０の下面とガイド筒４５の上端開口縁４５ｅとの間に挟み込まれる。そのため、吐出ヘッド１３に加わる押下げ力が、力の向きを変えることなくガイド筒４５に作用する。ガイド筒４５は、吐出ヘッド１３のステム１２を外側から囲む筒体であり、上下方向における剛性が高いため、吐出ヘッド１３が受ける力を十分に支えることができる。
【００８７】
また、被係止部１２０には、ストッパー１３０に係合することにより、ストッパー１３０の規制位置から規制解除位置への移動を抑止するための係合突起１２２が形成されている。この構成によれば、被係止部１２０に形成された係合突起１２２が、ストッパー１３０の規制位置から規制解除位置への移動を抑止するため、ストッパー１３０が規制位置から移動し難くなり、吐出ヘッド１３の下方移動を規制できる。これにより、僅かな力でストッパー１３０が規制位置から規制解除位置に移動してしまうことを抑止できるため、内容物が誤って吐出されることがなくなる。
【００８８】
このように、本実施形態の吐出器１によれば、ストッパー１３０を規制位置に移動させると、ストッパー１３０がノズル筒部３２の被係止部１２０に当接若しくは近接する。これにより、吐出ヘッド１３単体に力が加わっても、被係止部１２０にストッパー１３０が当接し、吐出ヘッド１３が直接支えられるため、内容物が吐出されることがなくなる。一方、図３に示すように、ストッパー１３０を規制解除位置に移動させると、ストッパー１３０が吐出ヘッド１３に突設された被係止部１２０から離れる。これにより、吐出ヘッド１３の下方移動が許容され、通常通りの使用が可能となる。
【００８９】
以上のように、本実施形態では、内容物が収容された容器本体２の口部３に、上方付勢状態で下方移動自在に配設されると共に、前方に向けて開口する吐出孔１３Ａが形成された吐出ヘッド１３を有するポンプ１４と、ポンプ１４を容器本体２の口部３に装着する装着キャップ１１と、装着キャップ１１の後部に立設された支持部１５と、支持部１５に回転軸回りに回転自在に配設され、吐出ヘッド１３を押下げる押下部材１６と、を備え、押下部材１６を回転軸Ｌ回りに下方に向けて回転させることにより、吐出ヘッド１３を下方移動させ、内容物を吐出孔１３Ａから吐出させる吐出器１であって、吐出ヘッド１３は、上方付勢状態で下方移動自在に配設されたステム１２と、ステム１２の上端部に装着された装着筒部３１、および装着筒部３１から前方に向けて突出し、その前端部に吐出孔１３Ａが形成されたノズル筒部３２を有するヘッド本体３０と、備え、ノズル筒部３２に対してノズル筒部３２の下方から当接若しくは近接し、吐出ヘッド１３の下方移動を規制する規制位置と、ノズル筒部３２から離れ、吐出ヘッド１３の下方移動を許容する規制解除位置と、の間で移動可能なストッパー１３０を有するという構成を採用することによって、不使用時において内容物の吐出をより確実に防止することができる。
【００９０】
また、例えば、ノズル筒部に対して下方向きに外力が加えられる場合、吐出ヘッドには、図１の向きに視て反時計回りの回転モーメントが加えられる。これにより、ヘッド本体にも回転する向きに力が加えられ、ヘッド本体がステムに対して傾く場合がある。そのため、ヘッド本体の装着筒部とステムとの間に隙間が生じ、装着筒部とステムとの間のシール性が低下する場合がある。その結果、容器本体２内の内容物が装着筒部とステムとの間から外部に漏れだす場合があった。
【００９１】
また、例えば、被係止部およびストッパーがステムよりも後方に設けられている場合、ノズル筒部に下方向きに外力が加えられると、吐出ヘッドに加えられる回転モーメントによって、ステムよりも後方に位置する被係止部には上方向きの力が加えられる。そのため、ストッパーから被係止部が浮き上がり、ストッパーが係合突起を乗り越えて規制解除位置側にずれる虞があった。
【００９２】
これらの問題に対して、本実施形態によれば、規制位置にある場合、ストッパー１３０は、ノズル筒部３２に当接若しくは近接する。そのため、ノズル筒部３２に外力が加えられた場合、ノズル筒部３２がストッパー１３０に押し付けられ、ノズル筒部３２に加えられた外力をストッパー１３０で直接受けることができる。これにより、ノズル筒部３２に外力が加えられた場合に、ヘッド本体３０に伝わる回転モーメントを低減でき、ステム１２に対してヘッド本体３０が傾くことを抑制できる。したがって、ステム１２と装着筒部３１との間のシール性が低下することを抑制でき、内容物が外部に漏れだすことを抑制できる。
【００９３】
また、ノズル筒部３２はステム１２よりも前方に位置するため、ノズル筒部３２に対して下方に向きに外力が加えられた場合、被係止部１２０にはストッパー１３０に押し付けられる向きに力が加えられる。これにより、ノズル筒部３２に外力が加えられた場合に、ストッパー１３０からノズル筒部３２が浮き上がることがなく、ストッパー１３０が規制解除位置側にずれることを抑制できる。
【００９４】
吐出ヘッド１３に外力が加えられる場合、吐出ヘッド１３のうちでも、特にノズル筒部３２に外力が加えられやすい。そのため、上述した本実施形態による作用効果を効果的に奏功させることができる。
【００９５】
また、本実施形態によれば、ストッパー１３０は、規制位置に位置するときに、ノズル筒部３２の後端部である被係止部１２０に対してノズル筒部３２の下方から当接若しくは近接する。そのため、ノズル筒部３２に下方向きの外力が加えられた場合に、ノズル筒部３２に加えられた下方向きの外力によって、ノズル筒部３２がストッパー１３０に強く押し付けられることとなり、ストッパー１３０が規制位置から規制解除位置側にずれることを確実に防ぐことができる。
【００９６】
また、本実施形態によれば、回転軸Ｌが、ステム１２より後方に配置されるとともに、左右方向に延びているので、押下部材１６を回転軸Ｌ回りに下方に向けて回転させ、吐出ヘッド１３を下方移動させる際に、押下部材１６から被押下部１００に対して前方斜め下に向けた押下力が加えられる。ここで、被押下部１００は、装着筒部３１の頂壁部に形成され、ストッパー１３０は、規制位置において、装着筒部３１から前方に向けて突出するノズル筒部３２に下方から当接若しくは近接する。そのため、規制位置においてストッパー１３０は、被押下部１００に対して下方でかつ前方に位置する。これにより、押下部材１６から被押下部１００に加えられる前方斜め下向きの押下力を、ストッパー１３０にほぼ真っ直ぐに伝達させて、ストッパー１３０で受け止めることができる。したがって、押下部材１６に不意に外力が加えられた場合であっても、吐出ヘッド１３が傾いてストッパー１３０が規制解除位置側にずれることを抑制できる。また、吐出ヘッド１３に前方斜め下向きの押下力が加えられてヘッド本体３０が傾くことを抑制できる。
【００９７】
以上、図面を参照しながら本発明の好適な実施形態について説明したが、本発明は上記実施形態に限定されるものではない。上述した実施形態において示した各構成部材の諸形状や組み合わせ等は一例であって、本発明の主旨から逸脱しない範囲において設計要求等に基づき種々変更可能である。
【００９８】
例えば、上記実施形態では、ストッパー１３０が規制位置に位置するとき、被係止部１２０に当接すると説明したが、ストッパー１３０は被係止部１２０に当接せずとも近接していればよく、この場合であっても吐出ヘッド１３の下方移動を規制することができる。
【００９９】
また、例えば、上記実施形態では、規制位置においてストッパー１３０は、ノズル筒部３２の後端部（被係止部１２０）と当接若しくは近接すると説明したが、これに限られない。ストッパー１３０は、規制位置においてノズル筒部３２に対してノズル筒部３２の下方から当接若しくは近接するならば、ノズル筒部３２におけるいずれの箇所と当接若しくは近接してもよい。この場合、被係止部１２０は設けられていなくてもよい。
【０１００】
また、例えば、上記実施形態では、ストッパー１３０が軸体１３１回りに回転可能に設けられる構成について説明したが、ストッパー１３０が回転ではなく、例えば上下、左右、前後のいずれかの方向に移動することで、規制位置と規制解除位置との間で移動可能な構成を採用してもよい。
【０１０１】
また、吐出器１は、下筒部６５の下端部に装着される正倒立両用アダプタを備えていてもよい。正倒立両用アダプタは、吐出器１の正立時および倒立時の双方において、吐出器１におけるシリンダ４２内が負圧となった際に、シリンダ４２内に内容液を供給する。この場合、パイプ２１３は正倒立両用アダプタに取り付けられる。
【符号の説明】
【０１０２】
１  吐出器
２  容器本体
３  口部
１１  装着キャップ
１２  ステム
１３  吐出ヘッド
１３Ａ  吐出孔
１４  ポンプ
１５  支持部
１６  押下部材
３０  ヘッド本体
３１  装着筒部
３２  ノズル筒部
１００  被押下部
１３０  ストッパー
Ｌ  回転軸
【図１】
0006623048.tif 000002
【図２】
0006623048.tif 000003
【図３】
0006623048.tif 000004
【図４】
0006623048.tif 000005
【図５】
0006623048.tif 000006